(57)【要約】【課題】立体映像の明るさの低下やクロストークを発生させることなく、照明によるフリッカの影響を低減することができる立体映像の表示装置を提供する。【解決手段】立体映像の表示装置は、右目用映像と、左目用映像とを交互にディスプレイパネルに表示し、鑑賞用メガネを通じて鑑賞する立体映像の表示装置であって、立体映像信号から同期信号を検出する同期信号検出回路と、鑑賞環境の照度を検出する照度検出回路と、照度の変動する周波数と、同期信号の周波数とを比較し、照度の変動する周波数が同期信号の周波数と一致しないか整数倍ではない場合にはフリッカが発生するものとして判断するフリッカ条件検出回路と、フリッカが発生すると判断された場合には、同期信号に同期して照明を点灯させる照明制御信号を生成し、照明制御信号に従って点灯を行う照明装置に対して送信する照明制御パルス生成回路とを備える。【選択図】図１
2012227851.tif 000002
【特許請求の範囲】
【請求項１】
立体映像信号を入力し、前記立体映像信号から生成した、右目用映像と、左目用映像とを交互にディスプレイパネルに表示し、前記右目用映像と前記左目用映像との表示に合わせた鑑賞用メガネのシャッター開閉信号を前記鑑賞用メガネに対して送信する立体映像の表示装置であって、
前記立体映像信号に応じて前記ディスプレイパネルを駆動するパネル駆動回路と、
前記立体映像信号から同期信号を検出する同期信号検出回路と、
当該立体映像を視聴する環境である鑑賞環境において、前記鑑賞環境の明るさである照度を検出する照度検出回路と、
前記照度の変動する周波数と、前記同期信号の周波数とを比較し、前記照度の変動する周波数が前記同期信号の周波数と一致しないか整数倍ではない場合にはフリッカが発生するものとして判断するフリッカ条件検出回路と、
前記フリッカが発生すると判断された場合には、前記同期信号に同期して照明を点灯させる照明制御信号を生成し、前記照明制御信号に従って点灯を行う照明装置に対して送信する照明制御パルス生成回路と、
を備えた立体映像の表示装置。
【請求項２】
さらに、
第２の照明装置と、
前記フリッカ条件検出回路によって前記鑑賞環境においてフリッカが発生すると判断された場合には、フリッカの原因となる前記照明の明るさと点灯周期とを検出し、検出した前記点灯周期と位相を反転させた信号に同期して前記第２の照明装置を点灯させる第２の照明駆動回路とを
備えた請求項１記載の立体映像の表示装置。
【請求項３】
前記照度検出回路は、さらに、前記鑑賞環境の明るさが立体映像を鑑賞する上で十分な明るさであるか否かを判断し、
さらに、前記鑑賞環境の明るさが十分な明るさであると判断された場合には、前記鑑賞環境の明るさに応じて前記照明装置の輝度を下げる旨の指示を前記照明制御パルス回路に対して通知する照明輝度可変回路を備え、
前記照明制御パルス生成回路は、さらに、前記照明輝度可変回路から送られた前記照明装置の輝度を下げる旨の指示を、前記照明装置に対して送信する、
請求項１に記載の立体映像の表示装置。
【請求項４】
さらに、前記鑑賞環境においてフリッカが発生すると判断された場合において、所定のメッセージを生成し前記立体映像信号に前記所定のメッセージ信号を重畳するメッセージ重畳回路を備え、
前記パネル駆動回路は、前記立体映像信号の前記所定のメッセージ信号に応じて、前記ディスプレイパネルを駆動する、
請求項１に記載の立体映像の表示装置。
【請求項５】
立体映像信号を入力し、前記立体映像信号から生成した、右目用映像と、左目用映像とを交互にディスプレイパネルに表示し、前記右目用映像と前記左目用映像との表示に合わせた鑑賞用メガネのシャッター開閉信号を前記鑑賞用メガネに対して送信する立体映像の表示装置と、前記立体映像の表示装置から指示を受けて照明の点灯を行う照明装置とからなる立体映像の表示システムであって、
前記立体映像の表示装置は、
前記立体映像信号に応じて前記ディスプレイパネルを駆動するパネル駆動回路と、
前記立体映像信号から同期信号を検出する同期信号検出回路と、
当該立体映像を視聴する環境である鑑賞環境において、前記鑑賞環境の明るさである照度を検出する照度検出回路と、
前記照度の変動する周波数と、前記同期信号の周波数とを比較し、前記照度の変動する周波数が前記同期信号の周波数と一致しないか整数倍ではない場合にはフリッカが発生するものとして判断するフリッカ条件検出回路と、
前記フリッカが発生すると判断された場合には、前記同期信号に同期して照明を点灯させる照明制御信号を生成し、前記照明制御信号に従って点灯を行う照明装置に対して送信する照明制御パルス生成回路と
を備え、
前記照明装置は、
照明と、
前記照明制御パルス生成回路から照明制御信号を受信し、前記照明制御信号に応じて前記照明を駆動する照明駆動回路と
を備える立体映像の表示システム。
【発明の詳細な説明】
【技術分野】
【０００１】
本発明は、立体映像を表示する立体映像表示装置、鑑賞用メガネ、照明に関する。
【背景技術】
【０００２】
立体映像表示装置が表示する映像を、鑑賞者に立体映像として知覚させる手段として、専用の鑑賞用メガネを用いる方式が提案されている。
【０００３】
その方式の１つにアクティブシャッター方式と呼ばれるものがある。この方式は立体映像表示装置が表示する映像を、視差を有する右目用映像と左目用映像で交互に切り替えて、この表示に合わせて鑑賞用メガネの右目用と左目用シャッターを交互に開閉し、右目用映像を鑑賞者の右目へ、左目用映像を鑑賞者の左目に知覚させることで、視差を有する平面映像を立体映像として鑑賞者に認識させるものである。
【０００４】
前記アクティブシャッター方式では、鑑賞用メガネのシャッターが開閉するという機構から、鑑賞者は立体映像に対しちらつきを感じることがあり、このちらつきには２つの原因があることが知られている。
【０００５】
一つ目の原因は、シャッターが開閉することで発生するちらつきである。これは人がちらつきを感じなくなる周波数は７２Ｈｚ程度であることが知られているが、立体映像を鑑賞する際のシャッターの開閉周波数は、右目及び左目共に６０Ｈｚまたは５０Ｈｚとなっているため、前記７２Ｈｚよりもシャッターの開閉周波数が低いことが原因で発生する。
【０００６】
二つ目の原因は、立体映像表示装置が表示する映像以外からの外光が有する点滅周期と眼鏡シャッターの開閉周期との干渉による影響である。例えば、室内で立体映像表示装置を鑑賞している場合、鑑賞用メガネを通して蛍光灯の光が鑑賞者の眼に入りやすい。この蛍光灯の光の量は、電源の周波数に依存しており、絶えず変化している。この蛍光灯の光が鑑賞用メガネを透過すると、蛍光灯の点滅周波数と鑑賞用メガネのシャッター開閉タイミングとが干渉してビート（うなり）となり、鑑賞者の眼には明暗の差がちらつきとして見える。このちらつきの見え方は、蛍光灯の方式によっても異なり、スターター方式やラピッドスタート方式では、交流電源電圧の正負の電圧が高くなるタイミングで放電が起こることで発光するため、点滅周期は電源周波数の２倍となり、ちらつきの影響が大きい。また、蛍光灯の点滅周波数を上げるインバーター方式では、理想電源を用いた場合にちらつきは見えにくくなるが、実際は交流電源をインバーター回路に通して直流電源を得るため、直流電圧は交流電源周波数のリップル成分を含み、これがちらつきに影響する。蛍光灯の点滅周波数を上げた場合においては、ちらつきは見えにくくなるが、インバーター方式以外の、点滅周波数を変えない方式では、ちらつきの影響は大きい。
【０００７】
これらのちらつきはフリッカと呼ばれ、立体映像鑑賞時の眼精疲労の原因となっている。
【０００８】
一つ目の原因であるフリッカの発生を低減するための解決方法として、シャッター開閉によるフリッカに対しては、眼鏡シャッターの開閉周波数を７２Ｈｚ以上に設定する必要がある。しかし、これは既に映画館で、右目あるいは左目の切り替え周波数を７２Ｈｚとして立体映像を鑑賞する環境が整っている。また、照明によるフリッカに対しては、眼鏡のシャッター周波数と蛍光灯の点滅周波数を同期させ、ビートを発生させないことが必要である。
【０００９】
以下では、二つ目の原因である照明によるフリッカを解決する方法について説明する。
【００１０】
この照明によるフリッカを解決する手段として、特許文献１に開示された鑑賞用メガネのシャッター制御方法が知られている。この方法では、蛍光灯の点滅周期に合わせて、シャッターの開期間と閉期間のデューティ比を設定することで、鑑賞用メガネを透過する蛍光灯からの光の量は常に一周期分となる。この一周期分の光は、人の眼が認識する明るさは光の量の積分値になるという特性から、鑑賞者の眼には各フレームの明るさは一定であるように認識される。
【００１１】
これにより、鑑賞者は照明によるフリッカを感じることなく立体映像を視聴することが可能となる。
【先行技術文献】
【特許文献】
【００１２】
【特許文献１】特開平９−１３８３８４号公報
【発明の概要】
【発明が解決しようとする課題】
【００１３】
前記特許文献１に開示された従来の手段では、フリッカの発生を抑える方法として、鑑賞用メガネの右目用（左目用）シャッターの開期間と閉期間のデューティ比を、蛍光灯の点滅周期に合わせて短縮または延長させている。
【００１４】
例えば、立体映像表示装置に表示される右目用映像または左目用映像のフレーム周期が１／６０［秒］である立体映像において、鑑賞用メガネの右目用または左目用シャッターの開期間は１／１２０［秒］となる。蛍光灯は、交流電源電圧が正負で電圧が高くなるタイミングで放電が起こることで発光するため、点滅周期は電源周波数に依存する。そのため、電源周波数が５０Ｈｚで蛍光灯の点滅周期が１／１００［秒］である場合、前記従来の手段では、シャッターの開期間を蛍光灯の点滅周期に合わせて１／１００［秒］へ延長させる必要がある。
【００１５】
前記鑑賞用メガネの右目用及び左目用のシャッターの開期間を延長させた場合、必然的にシャッターが開いている期間は、閉じている期間よりも長くなるため、両眼のシャッターが共に開いている期間が発生する。
【００１６】
この期間に有効映像が存在した場合、左目（右目）の映像が右目（左目）に入り込み、立体映像が二重像として見えてしまうクロストークが発生する可能性がある。
【００１７】
また一方で、立体映像表示装置に表示される右目用映像または左目用映像のフレーム周期が１／５０［秒］である立体映像においては、鑑賞用メガネの右目用または左目用シャッターの開期間は１／１００［秒］となる。このとき、電源周波数が６０Ｈｚで蛍光灯の点滅周期が１／１２０［秒］である場合、前記従来の手段では、シャッターの開期間を蛍光灯の点滅周期に合わせて短縮させる必要がある。
【００１８】
前記鑑賞用メガネの右目用及び左目用のシャッターの開期間を短縮させた場合、立体映像表示装置から鑑賞用メガネを透過して鑑賞者の眼に認識される光の量は減少するため、立体映像が暗く見えてしまう。
【００１９】
本発明は、前記従来の課題を解決するもので、立体映像の明るさの低下やクロストークを発生させることなく、照明によるフリッカの影響を低減することができる立体映像表示装置、鑑賞用メガネ、照明装置を提供することを目的としている。
【課題を解決するための手段】
【００２０】
上記課題を解決するため、本発明の立体映像の表示装置は、立体映像信号を入力し、前記立体映像信号から生成した、右目用映像と、左目用映像とを交互にディスプレイパネルに表示し、前記右目用映像と前記左目用映像との表示に合わせた鑑賞用メガネのシャッター開閉信号を前記鑑賞用メガネに対して送信する立体映像の表示装置であって、前記立体映像信号に応じて前記ディスプレイパネルを駆動するパネル駆動回路と、前記立体映像信号から同期信号を検出する同期信号検出回路と、当該立体映像を視聴する環境である鑑賞環境において、前記鑑賞環境の明るさである照度を検出する照度検出回路と、前記照度の変動する周波数と、前記同期信号の周波数とを比較し、前記照度の変動する周波数が前記同期信号の周波数と一致しないか整数倍ではない場合にはフリッカが発生するものとして判断するフリッカ条件検出回路と、前記フリッカが発生すると判断された場合には、前記同期信号に同期して照明を点灯させる照明制御信号を生成し、前記照明制御信号に従って点灯を行う照明装置に対して送信する照明制御パルス生成回路とを備える。
【００２１】
立体映像信号を入力し、前記立体映像信号から生成した、右目用映像と、左目用映像とを交互にディスプレイパネルに表示し、前記右目用映像と前記左目用映像との表示に合わせた鑑賞用メガネのシャッター開閉信号を前記鑑賞用メガネに対して送信する立体映像の表示装置と、前記立体映像の表示装置から指示を受けて照明の点灯を行う照明装置とからなる立体映像の表示システムであって、前記立体映像の表示装置は、前記立体映像信号に応じて前記ディスプレイパネルを駆動するパネル駆動回路と、前記立体映像信号から同期信号を検出する同期信号検出回路と、当該立体映像を視聴する環境である鑑賞環境において、前記鑑賞環境の明るさである照度を検出する照度検出回路と、前記照度の変動する周波数と、前記同期信号の周波数とを比較し、前記照度の変動する周波数が前記同期信号の周波数と一致しないか整数倍ではない場合にはフリッカが発生するものとして判断するフリッカ条件検出回路と、前記フリッカが発生すると判断された場合には、前記同期信号に同期して照明を点灯させる照明制御信号を生成し、前記照明制御信号に従って点灯を行う照明装置に対して送信する照明制御パルス生成回路とを備え、前記照明装置は、照明と、前記照明制御パルス生成回路から照明制御信号を受信し、前記照明制御信号に応じて前記照明を駆動する照明駆動回路とを備える。
【００２２】
上記の構成によって、立体映像表示装置はフリッカ発生条件において、照明装置の点滅制御と鑑賞用メガネのシャッター開閉制御を、立体映像信号の同期信号と同期制御することを実現する。
【発明の効果】
【００２３】
本発明の立体映像表示装置によれば、立体映像表示装置においてフリッカが発生する条件を検出した場合に、蛍光灯の代わりに立体映像信号に同期した照明装置を用いることによって、照明装置の点滅とメガネのシャッター切り替えタイミングは常に立体映像信号の同期信号に同期することになる。
【００２４】
このため、鑑賞用メガネを透過する照明装置からの光の量は、右目用または左目用シャッターの開期間で積分すると一定値となるため、鑑賞者の眼には一定の明るさとして認識されることにより、蛍光灯によるフリッカの発生を防ぐことができる。
【図面の簡単な説明】
【００２５】
【図１】実施の形態１における立体映像表示装置及び鑑賞用メガネにおける全体構成図
【図２】実施の形態１における立体映像表示装置及び鑑賞用メガネを動作させる信号の対応を示した図
【図３】実施の形態１におけるフリッカ条件検出を動作させる信号の対応を示した図
【図４】実施の形態２における立体映像表示装置及び鑑賞用メガネにおける全体構成図
【図５】実施の形態３における立体映像表示装置及び鑑賞用メガネにおける全体構成図
【図６】実施の形態３における照度検出値の直流成分に対する照明輝度制御信号の特性図
【図７】実施の形態３における照明輝度制御信号に対する照明制御信号のＨｉｇｈ期間の割合を示す特性図
【図８】実施の形態４における立体映像表示装置及び鑑賞用メガネにおける全体構成図
【図９】実施の形態４における照度検出値と照明光の位相の関係を表す図
【図１０】実施の形態４における立体映像表示装置の外観図
【発明を実施するための形態】
【００２６】
（実施の形態１）
以下、図１、図２を参照しながら、実施の形態１について、立体映像表示装置及び照明装置と鑑賞用メガネの全体構成を説明する。
【００２７】
図１は実施の形態１における立体映像表示装置及び照明装置、立体映像を鑑賞するために用いる鑑賞用メガネにおける全体構成図である。
【００２８】
立体映像表示装置１は、照度検出回路８、フリッカ条件検出回路１０、照明制御パルス生成回路１２、パネル駆動回路１７、ディスプレイパネル１９、同期信号検出回路５、眼鏡シャッター制御パルス生成回路２０を備える。
【００２９】
立体映像表示装置１は、立体映像信号４を入力信号として受けて、その信号をディスプレイパネル１９に視差を有する映像として表示する。そして、鑑賞用メガネ３を着用した鑑賞者は、ディスプレイパネル１９を視聴すると、立体映像として感知するものである。
【００３０】
照明装置２は、照明駆動回路１４と、照明１６とを備えている。
【００３１】
照明駆動回路１４は、立体映像表示装置１においてフリッカ発生条件が検出された場合に、立体映像表示装置１の照明制御パルス生成回路１２から出力された照明制御信号１３を入力信号として、立体映像信号４の同期信号６に同期して、照明１６を点灯させるものである。
【００３２】
鑑賞用メガネ３は、眼鏡シャッター駆動回路２２と、シャッター２４とを備えている。
【００３３】
眼鏡シャッター駆動回路２２は、立体映像表示装置１の眼鏡シャッター制御パルス生成回路２０から出力されたシャッター制御信号２１を入力信号として、立体映像信号４の同期信号６に同期して鑑賞用メガネ３の右目用シャッターと左目用シャッターの開閉を行う回路である。鑑賞用メガネ３を通じて視聴することで、鑑賞者に視差を有する映像を立体映像として表示させるものである。
【００３４】
図２は立体映像表示装置１と鑑賞用メガネ３とを動作させるための信号を示した図である。
【００３５】
以下、立体映像表示装置１において、ディスプレイパネル１９へ映像を表示し、鑑賞用メガネ３がシャッター制御を行うまでの動作と、フリッカ発生条件を検出した場合に照明を点灯させるまでの各構成要素の動作について概説する。
【００３６】
図１において、立体映像信号４は、パネル駆動回路１７に対して入力される。
【００３７】
立体映像信号４は、図２に示すように各フレームの映像信号が連続して並んでおり、互いに視差を有する右目用映像と左目用映像の二種類の映像信号が交互に繰り返されている。
【００３８】
ここで前記二種類の映像信号は、右目用映像信号であるか、左目用映像信号であるかを判別するための識別信号を有しており、立体映像信号４に含まれる同期信号６によって右目用及び左目用映像が区切られている。
【００３９】
パネル駆動回路１７は、立体映像信号４をパネル制御信号１８へと変換する。パネル駆動回路１７は、パネルの駆動方式に応じた制御信号に変更するように構成することが可能であるため、パネル駆動回路１７が特定のディスプレイパネルによって機能が制限されるものではない。
【００４０】
パネル制御信号１８は、ディスプレイパネル１９を制御するための信号である。
【００４１】
ディスプレイパネル１９はパネル制御信号１８に従って、立体映像信号４の同期信号６で同期をとりながら、視差を有する右目用映像と左目用映像を交互にパネル上へ表示する。
【００４２】
次に、鑑賞用メガネのシャッター制御について説明する。
【００４３】
立体映像信号４は、同期信号検出回路５にも入力され、同期信号検出回路５は立体映像信号４から同期信号６を抽出し出力する。
【００４４】
同期信号６は、眼鏡シャッター制御パルス生成回路２０に入力され、シャッター制御信号２１へと変換される。
【００４５】
シャッター制御信号２１は、鑑賞用メガネ３のシャッター開閉動作を制御するための信号である。同期信号６に同期して、右目用シャッターの開閉動作及び左目用シャッターの開閉動作を制御するパルス信号が、鑑賞用メガネ３の眼鏡シャッター駆動回路２２へと伝達される。
【００４６】
ここで、前記シャッター制御信号２１の伝達手段は、有線、無線を問わないが、鑑賞者の移動しやすさを考慮すると無線通信が望ましい。
【００４７】
鑑賞用メガネ３は、立体映像表示装置１から伝達されたシャッター制御信号２１を入力信号として受け、シャッター制御信号２１に従ってシャッター２４の駆動を行う。
【００４８】
眼鏡シャッター駆動回路２２は、入力されたシャッター制御信号２１を、右目用及び左目用シャッターの開閉状態を切り替えるためのシャッター切り替え信号２３へと変換する。
【００４９】
シャッター切り替え信号２３は、図２に示すように同期信号６に同期して制御されており、立体映像信号４の有効映像期間がパルス幅となる、シャッター２４の開状態と閉状態の二つの状態を制御する二値の信号である。
【００５０】
鑑賞用メガネ３は、右目用レンズと左目用レンズにそれぞれ光を透過及び遮断を行うためのシャッター２４を有しており、シャッター２４が開いている場合には、ディスプレイパネル１９に表示された映像や、蛍光灯等からの光が透過されるが、シャッター２４が閉じている場合には遮断される。
【００５１】
ここで、シャッター２４の開閉には、前記光の透過及び遮断を行えるものであれば手段は問わないが、安全性や省エネルギーの観点から液晶を用いることが望ましい。
【００５２】
すなわち、液晶に電圧を印加して配向制御を行うことで、光が透過する状態と遮断される状態を作ることで、シャッター２４の動作を実現する。
【００５３】
シャッター２４は、図２に示される右目用及び左目用のシャッター切り替え信号２３によって駆動され、立体映像表示装置のディスプレイパネル１９上へ表示される映像が右目用映像の場合は、鑑賞用メガネの右目用シャッターを開状態、左目用シャッターを閉状態にする。同様に、ディスプレイパネル１９上へ表示される映像が左目用映像の場合は、鑑賞用メガネの左目用シャッターを開状態、右目用シャッターを閉状態にする。
【００５４】
以上の制御によって、ディスプレイパネル１９上への映像の表示と、鑑賞用メガネ３のシャッター駆動とは、同期信号６に同期して制御される。そして、鑑賞者の眼には、視差を有する映像が立体映像として見える。
【００５５】
次に、照明装置２の動作について説明する。
【００５６】
蛍光灯は交流電源電圧で正負に電圧が高くなるタイミングで放電が起こり発光するという原理から、蛍光灯の光は、電源周波数に同期して点滅を繰り返している。電源周波数が５０Ｈｚや、６０Ｈｚであれば、これらに応じて、蛍光灯はそれぞれ１００Ｈｚまたは１２０Ｈｚの一定の周波数で点滅を繰り返している。
【００５７】
立体映像表示装置１は、蛍光灯の光は蛍光灯光７として入力し、この蛍光灯等の外部の光の量を検出するための照度検出回路８を有している。照度検出回路８は、検出した光の量を電気信号へ変換し、図２に示すように増幅した値を照度検出値９として出力する。
【００５８】
フリッカ条件検出回路１０では、照度検出値９と同期信号６とを入力信号として、これらの入力信号の周波数を比較し、照度検出値９の周波数が、同期信号６の周波数と一致または整数倍となっているかを検出する。
【００５９】
ここで、照度検出値９と同期信号６の周波数が一致または整数倍であるか否かを検出する具体例を、図３を用いて説明する。
【００６０】
例えば、立体映像のフレーム周波数が１２０Ｈｚの場合、同期信号６は１２０Ｈｚとなる。ここで、蛍光灯の電源周波数が６０Ｈｚの場合は、点滅周波数が１２０Ｈｚとなるため、照度検出値９は１２０Ｈｚの電圧波形となる。
【００６１】
フリッカ条件検出回路１０は、照度検出値９に対し、同期信号６を基準にして、サンプリング信号（位相なし）１０１、サンプリング信号（位相φ１）１０２、サンプリング信号（位相φ２）１０３のタイミングによりサンプリングを行う。このとき、照度検出値９の周波数に対して、同期信号６の周波数が一致または整数倍となっている場合、前記各サンプリング信号でサンプリングされた値はそれぞれ一定値となる。
【００６２】
また、照度検出値９の周波数に対して、同期信号６の周波数が一致または整数倍となっていない場合、前記サンプリング信号でサンプリングされた値は一定値とならず、ビートが発生する。
【００６３】
以上より、フリッカ発生条件は、前記サンプリングされた値が一定値となるか否かで判断することが可能となる。
【００６４】
例えば、３Ｄ映像コンテンツのフレーム周波数が１２０Ｈｚである場合、同期信号６は１２０Ｈｚとなり、これに対して照度検出値が１００Ｈｚで変動している場合、これらの信号の周波数は一致または整数倍の条件に該当しない。
【００６５】
前記の例のように、周波数が一致または整数倍ではない場合には、鑑賞用メガネを透過する蛍光灯光と鑑賞用眼鏡のシャッター開閉タイミングは干渉してビート（うなり）となり、鑑賞者の眼にはフリッカとして見える。
【００６６】
このようなフリッカが発生する条件では、フリッカ条件検出回路１０は、フリッカ検出信号１１をフリッカが発生する条件であることを示す信号として出力する。
【００６７】
また、周波数が一致または整数倍である場合、鑑賞用メガネを透過する蛍光灯光と鑑賞用眼鏡のシャッター開閉タイミングとは一致しているため、鑑賞者の眼には明暗の差は見えずフリッカが発生しない。
【００６８】
このようなフリッカが発生しない条件では、フリッカ条件検出回路１０は、フリッカ検出信号１１をフリッカが発生しない条件であることを示す信号として出力する。
【００６９】
フリッカ検出信号１１は、図２に示されるようにフリッカが発生しない条件であることを示すＬｏｗ信号と、フリッカが発生する条件であることを示すＨｉｇｈ信号とで構成される。
【００７０】
照明制御パルス生成回路１２は、フリッカ検出信号１１と同期信号６とを入力信号とする。フリッカ検出信号１１がフリッカ発生条件を示すＨｉｇｈ信号である場合には、照明制御パルス生成回路１２は、照明制御信号１３を、照明装置２を点灯させることを示す信号として出力する。
【００７１】
一方で、フリッカ検出信号１１がフリッカ発生条件ではないことを示すＬｏｗ信号である場合は、照明制御パルス生成回路１２は、照明制御信号１３を、照明装置を消灯させることを示す信号として出力する。
【００７２】
照明制御信号１３は、同期信号６に同期して一定期間のパルス幅を持つ信号として生成される。図２に示すように、照明装置２を点灯させる場合には、所定の期間の間にパルス信号を１つ含む信号として、消灯させる場合には、所定の期間の間にパルス信号を２つ含む信号として構成される。
【００７３】
このように、図２に示すように同期信号６の各１周期の間において、照明制御パルス生成回路１２は、照明装置２を点灯及び消灯させるための前記照明制御信号１３を一定間隔で出力することにより、照明装置２の点灯を同期信号６に同期させながら、一定の期間点灯させることができる。
【００７４】
これにより、鑑賞用メガネ３を透過する照明装置２からの光の量は、各フレーム映像と同期することとなり、一定の光の量が鑑賞者の眼に視認されることとなる。
【００７５】
ここで、同期信号６の１周期間に複数の点灯または消灯期間を設けてもよく、点灯と消灯の間隔を短くし、照明の点滅周波数を高くすることによって、照明そのもののちらつきを抑えるという利点がある。
【００７６】
照明駆動回路１４は、前記照明制御信号１３を入力信号として、照明１６を駆動するための照明駆動信号１５を生成する。
【００７７】
ここで、前記照明制御信号１３の伝達手段は、照明装置２の形状に合わせて有線、無線を選択することが望ましい。例えば、照明装置２が立体映像表示装置１に付属している場合には、ノイズの影響やコストを考えると、有線にすることが望ましい。
【００７８】
また、照明装置２が室内全体を照らすために天井などに配置されている場合には、立体映像表示装置１の配置変更のしやすさを考慮すると無線通信が望ましい。
【００７９】
照明駆動信号１５は、照明制御信号１３に従って生成され、照明１６が点灯する期間ではＨｉｇｈ信号、消灯する期間ではＬｏｗ信号の２値の信号である。
【００８０】
照明１６は、前記照明制御信号１３に従って制御され、Ｈｉｇｈ信号であれば点灯、Ｌｏｗ信号であれば消灯となる。
【００８１】
以上の制御により、照明装置２は立体映像に同期して点灯することになり、鑑賞用メガネ３を透過する蛍光灯光は常に一定となるため、鑑賞用メガネ３のシャッター開閉タイミングと干渉してビートとなることがない。つまり、蛍光灯光は鑑賞者の眼にフリッカとして認識されないため、眼精疲労を防止することができる。
【００８２】
また、照明装置２は、立体映像表示装置１に内蔵、もしくは、既製品の照明に照明駆動回路を取り付けても良い。
【００８３】
ここで、立体映像表示装置１に照明装置２を内蔵した場合には、照明の同期制御を有線で行うことが可能となるため、他機器からの妨害を受けにくいという利点がある。
【００８４】
また、既製品の照明に取り付ける場合は、照明駆動回路１４のみ用いれば良いため、照明装置２のコストを抑え、照明装置２の種類を選択することが可能となる。
【００８５】
上記の照明装置２の形態は、鑑賞者の視聴環境に応じて最適なものを選択してよい。
【００８６】
このように、立体映像表示装置１においてフリッカが発生する条件を検出した場合に、立体映像信号４に同期した照明装置２を構成することができる。このため、鑑賞用メガネ３を透過する照明装置からの光の量は、右目用または左目用シャッターの開期間で積分すると一定値となるため、鑑賞者の眼には一定の明るさとして認識されるため、蛍光灯によるフリッカの発生を防ぐことができる。
【００８７】
また、鑑賞用メガネのシャッターの開期間と閉期間のデューティ比を変える必要がないため、クロストークや立体映像の明るさの低下を発生することがない。
【００８８】
（実施の形態２）
以下、図４を参照しながら実施の形態２について説明する。
【００８９】
図４は、実施の形態２における立体映像表示装置及び照明装置、それに用いる鑑賞用メガネにおける全体構成図である。
【００９０】
立体映像表示装置２５は、実施の形態１と同じく、ディスプレイパネル１９を駆動するための回路と、鑑賞用メガネ３を駆動するための回路と、照明装置２を駆動するための回路とを備えている。
【００９１】
さらに実施の形態２において、立体映像表示装置２５はメッセージ重畳回路２６を備える点において、実施の形態１における立体映像表示装置１とは異なる。
【００９２】
立体映像表示装置２５は、実施の形態１と同じく立体映像信号４を入力信号として受けて、その信号をディスプレイパネル１９に視差を有する映像として表示する。そして、鑑賞用メガネ３を着用した鑑賞者は、ディスプレイパネル１９を視聴すると、立体映像として感知するものである。
【００９３】
さらに、立体映像表示装置２５は、メッセージ重畳回路２６を備える。このことによって、フリッカ条件検出回路１０にてフリッカが発生する条件を検出した場合には、フリッカが発生する環境であることをメッセージでディスプレイパネル１９に表示し、鑑賞者へ照明の切り替えを促す。このことによって、鑑賞者がフリッカによる眼精疲労を予め防ぐことが可能となる。
【００９４】
以下では、立体映像表示装置２５が、フリッカ発生条件を示すメッセージを通知するまでの、各構成要素の動作を概説する。
【００９５】
図４において、立体映像表示装置２５は、蛍光灯光７を照度検出回路８へ入力し、検出した光の量を電気信号へ変換し、増幅した値を照度検出値９として出力する。
【００９６】
フリッカ条件検出回路１０では、照度検出値９と同期信号６とを入力信号として、実施の形態１と同様に、鑑賞環境がフリッカ発生条件であるか否かを示すフリッカ検出信号１１を出力する。
【００９７】
そして、メッセージ重畳回路２６は、フリッカ検出信号１１と、立体映像信号４とを入力信号として、フリッカが発生する環境であることを検出した場合には、立体映像信号４に対して、フリッカが発生する環境であることを示すメッセージを重畳し、メッセージを含む立体映像信号２７として出力する。
【００９８】
パネル駆動回路１７は、メッセージを含む立体映像信号２７を、ディスプレイパネル１９の駆動方式に応じてパネル制御信号１８へ変換する。
【００９９】
ディスプレイパネル１９は、パネル制御信号１８に従って、フリッカが発生する環境であることを示すメッセージを含んだ立体映像を、パネル上へ表示する。
【０１００】
以下、各構成要素の動作を説明しながら、メッセージ重畳回路２６の動作を説明する。ただし、実施の形態１と同様の動作を行うものについては、その動作は実施の形態１の説明中で既に説明してあるため、詳しい動作の説明は省略する。
【０１０１】
鑑賞者がフリッカの発生する環境で立体映像を鑑賞している場合には、フリッカ条件検出回路１０は、照度検出値９からフリッカ発生条件であることを検出し、フリッカ検出信号１１としてＨｉｇｈ信号を出力する。
【０１０２】
メッセージ重畳回路２６は、フリッカ検出信号１１がＨｉｇｈ状態へ遷移すると、立体映像信号４にメッセージ信号を重畳する。
【０１０３】
メッセージ信号は、フリッカが発生する環境であることを鑑賞者へ通知するものであり、フリッカの原因となる蛍光灯を消して照明装置２を点灯させることを促す旨を示すものである。
【０１０４】
また、立体映像の鑑賞環境がフリッカを発生する条件でない場合には、フリッカ条件検出回路１０は、フリッカ検出信号１１としてＬｏｗ信号を出力する。このため、立体映像にメッセージ信号は重畳せず、メッセージ重畳回路２６は入力した立体映像信号４をそのまま出力する。
【０１０５】
メッセージを含む立体映像信号２７は、パネル駆動回路１７へ入力され、ディスプレイパネル１９の駆動方式に応じてパネル制御信号１８へと変換される。そして、ディスプレイパネル１９は、メッセージを含む立体映像信号２７をパネル上へ映し出す。
【０１０６】
このように、立体映像表示装置２５は、フリッカ発生条件を検出した場合に、鑑賞者へフリッカの原因となる蛍光灯を消灯することを促すメッセージを映像信号に重畳するためのメッセージ重畳回路２６を備える。このことにより、鑑賞環境がフリッカを発生する可能性がある場合には、鑑賞者は事前にフリッカ発生条件であることをメッセージにより知ることが可能となり、フリッカの原因となる蛍光灯等を消灯して、立体映像に同期した照明装置２を用いることにより、事前に眼精疲労を防止することが可能となる。
【０１０７】
また、メッセージの表示と共に、照明装置２の点灯または消灯を行う選択メニューをディスプレイ上に表示することで、鑑賞者がリモコンで照明装置の点灯を制御できるようになり、照明装置２の制御を遠隔操作できるという利点がある。
【０１０８】
（実施の形態３）
以下、図５を参照しながら実施の形態３について説明する。
【０１０９】
図５は、実施の形態３における立体映像表示装置及び照明装置、立体映像を鑑賞するために用いる鑑賞用メガネの全体構成図である。
【０１１０】
立体映像表示装置２８は、実施の形態２と同じく、ディスプレイパネル１９を駆動するための回路と、鑑賞用メガネ３を駆動するための回路と、照明装置２を駆動するための回路を備えている。
【０１１１】
さらに実施の形態３では、立体映像表示装置２８は照明輝度可変回路２９を備える点において、実施の形態２における立体映像表示装置２５とは異なる。
【０１１２】
立体映像表示装置２８は、この照明輝度可変回路２９を備えることによって、フリッカが発生する条件を検出した場合に、照明装置２の輝度を鑑賞環境の明るさに合わせて適切に調整することで、照明装置２の消費電力削減を行うことが可能となる。
【０１１３】
以下では、立体映像表示装置２８が、鑑賞環境の明るさに合わせて照明装置２の輝度を調整するまでの、各構成要素の動作を概説する。
【０１１４】
図５において、立体映像表示装置２８は、蛍光灯光７を照度検出回路８へ入力し、検出した光の量を電気信号へ変換し、増幅した値を照度検出値９として出力する。
【０１１５】
フリッカ条件検出回路１０では、照度検出値９と同期信号６とを入力信号として、実施の形態２と同様に、鑑賞環境がフリッカ発生条件であるか否かを示すフリッカ検出信号１１を出力する。
【０１１６】
そして、照明輝度可変回路２９は、照度検出値９を入力信号して、周囲の明るさを抽出し、その明るさに応じて予め設定した照明の輝度設定値を照明輝度制御信号３０として出力する。
【０１１７】
照明制御パルス生成回路３１は、照明輝度制御信号３０と、フリッカ検出信号１１と、同期信号６とを入力信号として、照明輝度制御信号３０により示された輝度設定値に応じて、照明装置２の明るさを制御するための照明制御信号１３を出力する。
【０１１８】
照明駆動回路１４は、照明制御信号１３に応じて、照明１６の点灯と消灯を行うための照明駆動信号１５を出力する。
【０１１９】
以上より、鑑賞環境の明るさに応じて照明１６の明るさが調整されることになる。
【０１２０】
以下では、各構成要素の動作を説明しながら、照明輝度可変回路２９の動作を説明する。ただし、実施の形態１及び実施の形態２と同様の動作を行うものについては、その動作は実施の形態１及び実施の形態２の説明中で既に説明してあるため、詳しい動作の説明は省略する。
【０１２１】
図５において、立体映像表示装置２８は、蛍光灯光７を照度検出回路８へ入力し、検出した光の量を電気信号へ変換し、増幅した値を照度検出値９として出力する。ここで、照度検出値９には、蛍光灯が点滅を繰り返すことで生じる交流成分や、太陽光などのほとんど明るさが変化しない直流成分が含まれる。
【０１２２】
フリッカ条件検出回路１０は、照度検出値９と同期信号６とを入力信号として、照度検出値９から蛍光灯の点滅周波数と同期信号６の映像周波数とを比較し、鑑賞環境がフリッカ発生条件であるか否かを示すフリッカ検出信号１１を出力する。
【０１２３】
照明輝度可変回路２９は、照度検出値９から鑑賞環境の明るさとして直流成分を抽出し、抽出した値に応じて予め設定した照明の輝度設定値を、照明輝度制御信号３０として出力する。
【０１２４】
ここで、照明輝度制御信号３０の出力値としては、図６に示すように照度検出値の直流成分の値をａ〜ｅの５段階に分けて、それぞれの段階に対応して１〜５の２進数データとして出力する。
【０１２５】
ここでは直流成分を５段階に分けているが、さらに細かく段階に分けることで、照明の輝度をより滑らかに変えることができる。
【０１２６】
また、照明１６が既製品のものである場合、照明によって発光特性が異なる可能性が考えられるが、前記の方法であれば、直流成分の値に対する、輝度制御信号の特性を変えることで、照明に合わせた輝度制御を行うことができるという利点がある。
【０１２７】
照明制御パルス生成回路３１は、照明輝度制御信号３０とフリッカ検出信号１１と、同期信号６とを入力信号とし、同期信号６に同期しながら、照明制御信号１３を出力する。
【０１２８】
ここで、照明制御信号１３の出力値としては、図７に示すように、入力した照明輝度制御信号３０の値に応じて、予め設定した割合だけ照明が点灯するように点灯周期を決める。
【０１２９】
図７では、照明輝度制御信号が大きいほど照明制御信号１３のＨｉｇｈ期間は狭くなっているため、鑑賞環境が明るいほど照明装置２の輝度は低くなる。
【０１３０】
これにより、鑑賞環境が暗い場合は照明の輝度を高くし、明るい環境では照明の輝度を低く設定することで、鑑賞環境の明るさに応じて、照明装置２を適切な明るさに設定することが可能となり、照明装置２で発生する無駄な電力を抑えることができる。
【０１３１】
照明駆動回路１４は、照明制御信号１３に応じて、照明１６の点灯と消灯を行うための照明駆動信号１５を出力する。
【０１３２】
照明１６は、照明駆動信号１５に応じて点灯と消灯を行うため、鑑賞環境の明るさに応じて照明の輝度が調整されることになる。
【０１３３】
（実施の形態４）
以下、図８、図９を参照しながら実施の形態４について説明する。
【０１３４】
図８は、実施の形態４の立体映像表示装置及び照明装置、立体映像を鑑賞するために用いる鑑賞用メガネにおける全体構成図である。
【０１３５】
立体映像表示装置３２は、実施の形態１と同じく、ディスプレイパネル１９を駆動するための回路と、鑑賞用メガネ３を駆動するための回路と、照明装置２を駆動するための回路とを備えている。
【０１３６】
さらに実施の形態４において、立体映像表示装置３２は照明装置２を備え、照度検出値９が照明制御パルス生成回路３３へ入力されている点において、実施の形態１における立体映像表示装置１とは異なる。
【０１３７】
立体映像表示装置３２は、照度検出値９から蛍光灯の点灯周波数と位相を検出し、蛍光灯の点滅の位相を反転させたタイミングで照明装置２を駆動させる。これにより、鑑賞用メガネ３を通して鑑賞者の眼に認識される光の量は一定となり、蛍光灯によるフリッカの影響を低減させることが可能となる。
【０１３８】
以下では、立体映像表示装置３２が、照明装置２を駆動させるまでの、各構成要素の動作を概説する。
【０１３９】
図８において、立体映像表示装置３２は、蛍光灯光７を照度検出回路８へ入力し、検出した光の量を電気信号へ変換し、増幅した値を照度検出値９として出力する。
【０１４０】
フリッカ条件検出回路１０では、照度検出値９と同期信号６とを入力信号として、実施の形態１と同様に、鑑賞環境がフリッカ発生条件であるか否かを示すフリッカ検出信号１１を出力する。
【０１４１】
照明制御パルス生成回路３３は、フリッカ検出信号１１と照度検出値９とを入力信号として、照明１６の点灯の位相を、照度検出値９の信号の位相と位相反転した信号で制御するための照明制御信号３４を出力する。
【０１４２】
照明駆動回路３５は、照明制御信号３４を入力信号として、照明１６を駆動するための照明駆動信号３６を生成する。
【０１４３】
以上の構成により、照明１６はフリッカの原因である蛍光灯に対して位相反転した波形と同期して点灯制御される。
【０１４４】
以下では、各構成要素の動作を説明しながら、照明装置２が点灯するまでの動作を説明する。ただし、実施の形態１と同様の動作を行うものについては、その動作は実施の形態１の説明中で既に説明してあるため、詳しい動作の説明は省略する。
【０１４５】
図８において、照明制御パルス生成回路３３は、鑑賞環境がフリッカを発生する条件であるか否かを検出するためのフリッカ検出信号１１と、鑑賞環境の明るさを電気信号へ変換して増幅した照度検出値９とを入力信号とする。
【０１４６】
照明制御パルス生成回路３３は、前記照度検出値９から位相を反転させた波形を生成し、生成した波形を照明制御信号３４として出力する。
【０１４７】
前記照明制御信号３４は、実施の形態１における照明制御信号１３とは異なり、図９に示すように振幅値を示す信号となっている。これにより、例えば蛍光灯の明るさや周波数及び位相が変化した場合でも、前記蛍光灯の振幅を反転した信号を出力するだけで良いため、蛍光灯が変化に対応できるという利点がある。前記の振幅を反転した信号を生成するには、例えば、照度検出値９をトランジスタ等で構成される反転増幅回路を通すことで得られる。
【０１４８】
照明駆動回路３５は前記照明制御信号３４に従って、照明駆動信号３６を出力する。
【０１４９】
ここで、照明駆動信号３６は、照明を駆動させるための信号であり、例えば照明にＬＥＤ照明を用いた場合、照明制御信号３４に応じてＬＥＤに流れる電流値を変える信号としてもよい。
【０１５０】
照明１６は、照明駆動信号３６に応じて、照度検出値９の位相を反転させた波形に同期して駆動される。
【０１５１】
ここで、照明装置２を内蔵する立体映像表示装置３２を図１０に示す。
【０１５２】
図１０において、照明装置２は立体映像表示装置３２の前面に、ディスプレイパネル１９を囲むように取り付けられている。これにより、照明装置２が点灯した場合に鑑賞用メガネ３を透過する光の量を多く出来るという利点がある。
【０１５３】
また、照度検出回路８は立体映像表示装置３２の上部に取り付けることにより、天井等に取り付けられている蛍光灯等からの明るさを検出しやすくすると共に、照明装置２の点滅と蛍光灯が干渉してしまう影響を軽減する効果が期待できる。
【０１５４】
また、上記の実施の形態においては、フリッカの原因となる蛍光灯を消灯させる必要がなく、鑑賞者はフリッカを気にすることなく立体映像を鑑賞できるという利点がある。
【０１５５】
このように、照明装置を立体映像装置に内蔵し、フリッカの原因となる照明装置からの光に対して、位相を反転させたタイミングで照明装置を点灯させることによって、蛍光灯を消灯させることなくフリッカの影響を低減させることが可能となる。
【０１５６】
なお、実施の形態１から４については、ブロック図を用いて説明したが、これらはマイコン等によるソフトウェア制御であっても良い。
【産業上の利用可能性】
【０１５７】
本発明にかかる立体映像表示装置、鑑賞用メガネ、照明装置は、蛍光灯があるフリッカが発生しやすい環境において、鑑賞者が感じる蛍光灯によるフリッカの影響を低減することが出来るので、フリッカが発生しやすい環境で使用する場合の立体映像表示装置、鑑賞用メガネ、照明装置として有用である。
【符号の説明】
【０１５８】
１  立体映像表示装置
２  照明装置
３  鑑賞用メガネ
４  立体映像信号
５  同期信号検出回路
６  同期信号
７  蛍光灯光
８  照度検出回路
９  照度検出値
１０  フリッカ条件検出回路
１１  フリッカ検出信号
１２  照明制御パルス生成回路
１３  照明制御信号
１４  照明駆動回路
１５  照明駆動信号
１６  照明
１７  パネル駆動回路
１８  パネル制御信号
１９  ディスプレイパネル
２０  眼鏡シャッター制御パルス生成回路
２１  シャッター制御信号
２２  眼鏡シャッター駆動回路
２３  シャッター切り替え信号
２４  シャッター
２５  立体映像表示装置
２６  メッセージ重畳回路
２７  メッセージを含む立体映像信号
２８  立体映像表示装置
２９  照明輝度可変回路
３０  照明輝度制御信号
３１  照明制御パルス生成回路
３２  立体映像表示装置
３３  照明制御パルス生成回路
３４  照明制御信号
３５  照明駆動回路
３６  照明駆動信号
１０１  サンプリング信号（位相なし）
１０２  サンプリング信号（位相φ１）
１０３  サンプリング信号（位相φ２）
【図１】
2012227851.tif 000003
【図２】
2012227851.tif 000004
【図３】
2012227851.tif 000005
【図４】
2012227851.tif 000006
【図５】
2012227851.tif 000007
【図６】
2012227851.tif 000008
【図７】
2012227851.tif 000009
【図８】
2012227851.tif 000010
【図９】
2012227851.tif 000011
【図１０】
2012227851.tif 000012